(57)【特許請求の範囲】
【請求項１】
胴部２上端から肩部３を介して大径筒４を、かつ該大径筒上端から内向きフランジを介して小径のキャップ螺合用口頸部６を、それぞれ起立する容器体１と、
上記大径筒４外面へ嵌着させた筒状ロック部材11と、
上記口頸部６外面へ螺合させた螺合筒32を頂板33下面から垂下すると共に、その頂板外周から外周壁34を垂下するキャップ31と、
上記外周壁34の外面へ、一定ストロークだけ上下動可能に嵌合させた筒状をなすロックリング41とからなり、
上記筒状ロック部材は、大径筒４外面へ固着させた内筒12の上端から第１外向きフランジ13を介して中筒14を垂下すると共に該中筒下端から第２外向きフランジ15を介して外筒16を起立し、かつ上記第１、第２外向きフランジ13,15 の左右両部とこれ等左右両部間の中筒筒壁部分とを共に切欠きすると共に、それ等両切欠き部分外方の外筒左右筒壁部分を、該部分上部に切離し横線17,17 を、又これ等切離し横線先端から外筒下端まで切離し縦線18,18 を、それぞれ穿設することで板バネ19,19 に形成し、又これ等両板バネ先端部下縁から内方張出し板20,20 を介して係合歯21を外面に有する係合板22,22 を起立させて形成し、
又キャップ31は、内面に内歯35を有する内歯歯車状筒を外周壁34下部で形成して該内歯歯車状筒を上記内筒12および係合板22と外筒16との間隙内へ嵌合させて、係合歯21と内歯35とをキャップ螺合方向に対しては滑動し、かつ弛め方向へ対しては噛合い可能に設け、
更にロックリング41は、下限において筒部42の中間部外面へ周設した係合突条46が筒状ロック部材11の外筒16上面へ係合して、筒部下端が切離し横線17下方の板バネ部分内面に係合すると共に、上限にあっては筒部下端が板バネ19,19 上方に位置するよう設け、
又ロックリングを上限まで引上げた状態から、板バネ先端部を内方へ押込むことで、上記内歯35と係合歯21との係合が離脱可能に形成した
ことを特徴とする安全キャップ付き容器。
【請求項２】
ロックリング41を外周壁34に対して上限まで強制引上げすることで係合し、かつ該上限位置からの強制押下げにより離脱する係合手段を、それ等外周壁外面とロックリングの筒部42内面とに形成した
ことを特徴とする、請求項１記載の安全キャップ付き容器。
【発明の詳細な説明】
【０００１】
【発明の属する技術分野】
本発明はいわゆる安全キャップ付き容器に関する。
【０００２】
【従来の技術】
幼児の開蓋を防止するよう設けた安全キャップとして、例えば内キャップ外面へ外キャップを上方付勢させて嵌合させ、容器口頸部へ螺合させた内キャップに対して外キャップ上昇状態のままでは外キャップが空転して開蓋できないが、外キャップを付勢に抗し押下げて開蓋方向へ回すと内外キャップが係合することで内キャップを口頸部から螺脱可能としたキャップが知られている。
【０００３】
【発明が解決しようとする課題】
上記従来の安全キャップは、容器の口頸部外面へ螺合させた内キャップに対して外キャップを付勢に抗して押下げたままの状態で外キャップを螺脱方向へ回さなければならず、それ等ロック解除のための押下げと開蓋のための回動との二つの操作を一方の手で同時に行うこととなるため、大人にとっても開蓋が困難となり易いものであった。
【０００４】
本発明は、一方の手で蓋体ロックの解除を行い、かつ他方の手で開蓋出来るようにして上記欠点を除去できるよう設けたものである。
【０００５】
【課題を解決するための手段】
第１の手段として胴部２上端から肩部３を介して大径筒４を、かつ該大径筒上端から内向きフランジを介して小径のキャップ螺合用口頸部６を、それぞれ起立する容器体１と、
上記大径筒４外面へ嵌着させた筒状ロック部材11と、
上記口頸部６外面へ螺合させた螺合筒32を頂板33下面から垂下すると共に、その頂板外周から外周壁34を垂下するキャップ31と、
上記外周壁34の外面へ、一定ストロークだけ上下動可能に嵌合させた筒状をなすロックリング41とからなり、
上記筒状ロック部材は、大径筒４外面へ固着させた内筒12の上端から第１外向きフランジ13を介して中筒14を垂下すると共に該中筒下端から第２外向きフランジ15を介して外筒16を垂下し、かつ上記第１、第２外向きフランジ13,15 の左右両部とこれ等左右両部間の中筒筒壁部分とを共に切欠きすると共に、それ等両切欠き部分外方の外筒左右筒壁部分を、該部分上部に切離し横線17,17 を、又これ等切離し横線先端から外筒下端まで切離し縦線18,18 を、それぞれ穿設することで板バネ19,19 に形成し、又これ等両板バネ先端部下縁から内方張出し板20,20 を介して係合歯21を外面に有する係合板22,22 を起立させて形成し、
又キャップ31は、内面に内歯35を有する内歯歯車状筒を外周壁34下部で形成して該内歯歯車状筒を上記内筒12および係合板22と外筒16との間隙内へ嵌合させて、係合歯21と内歯35とをキャップ螺合方向に対しては滑動し、かつ弛め方向へ対しては噛合い可能に設け、
更にロックリング41は、下限において筒部42の中間部外面へ周設した係合突条46が筒状ロック部材11の外筒16上面へ係合して、筒部下端が切離し横線17下方の板バネ部分内面に係合すると共に、上限にあっては筒部下端が板バネ19,19 上方に位置するよう設け、
又ロックリングを上限まで引上げた状態から、板バネ先端部を内方へ押込むことで、上記内歯35と係合歯21との係合が離脱可能に形成した。
【０００６】
第２の手段として上記第１の手段を有すると共にロックリング41を外周壁34に対して上限まで強制引上げすることで係合し、かつ該上限位置からの強制押下げにより離脱する係合手段を、それ等外周壁外面とロックリングの筒部42内面とに形成した。
【０００７】
【発明の実施の形態】
本発明容器は、容器体と筒状ロック部材とキャップと筒状をなすロックリングとからなる。
【０００８】
容器体１は胴部２上端から肩部３を介して大径筒４を、かつ該大径筒上端から内向きフランジ５を介して、キャップ螺合用の小径の口頸部６を起立する。大径筒４外面へは後述筒状ロック部材を抜出し不能に、かつ回動不能に嵌合させて固着させるための係合突条７を付設することが望ましい。
【０００９】
筒状ロック部材11は、大径筒４外面へ固着させた内筒12上端から第１外向きフランジ13を介して中筒14を垂下すると共に、該中筒下端から第２外向きフランジ15を介して外筒16を起立する。上記第１、第２外向きフランジ13,15 の左右両部とこれ等左右両部間の中筒筒壁部分とは共に図４のように切欠き、それ等両切欠き部分外方の外筒16左右筒壁部分を、図１のように該部分上部へ切離し横線17,17 を、又これ等切離し横線先端から外筒下端まで切離し縦線18,18 を、それぞれ穿設することで板バネ19,19 に形成する。又それ等両板バネの先端部下縁からは、図４が示すように内方張出し板20,20 を介して係合歯21を外面に有する係合板22,22 を起立させる。その係合板内面と内筒12との間には間隙を設けておく。
【００１０】
キャップ31は、口頸部外面への螺合筒32を頂板33外周から垂下し、又その頂板外周から外周壁34を垂下し、該外周壁の下部を内歯歯車状筒として該筒内面に複数の内歯35を付設している。その内歯歯車状筒は既述中筒14および係合板22と外筒16との間に嵌合させ、内歯35は係合板22の係合歯21と、キャップ螺合方向へ対しては滑動し、又弛め方向に対しては噛み合うよう、それ等内歯と係合歯とを共に起立面と傾斜面とで形成した鋸歯状とする。外周壁34は上半部に対して下半部外径を多少大外径としており、又その大外径部上端に突条36を周設し又該突条下端部に小凹溝37を周設している。
【００１１】
上記キャップ31の外周壁34外面へは筒状をなすロックリング41を一定ストローク上下動可能に嵌合させている。該ロックリングは筒部42の上端部を上内方へ屈曲させて係合部43となし、又該係合部下方内面に巾広の凹溝44を周設し、かつ該凹溝下端に小突条45を周設させている。そして上記凹溝内へ既述キャップの突条36を嵌合させてロックリング41を上下動可能にし、又ロックリングを上限まで上昇させたとき、キャップ外周壁の小凹溝37内へ、ロックリングの小突条45が嵌合して該ロックリング引上げ状態を保つことが可能としている。又ロックリングは中間部外面に係合突条46を有し、外周壁34に対してロックリングを下限まで下降させた図１の状態で筒部下端は既述切離し横線17下方の板バネ19部分内面へ係合し、又図２のように上限まで引上げたとき、つまり小凹溝37内へ小突条45が嵌合したとき、筒部下端は板バネ19上方へ離脱するよう設けている。
【００１２】
上記構成において、図１が示すキャップ螺合状態にあっては内歯35と係合歯21とが噛合ってキャップを螺脱出来ない。
【００１３】
キャップを螺脱する際は、図２が示すようにロックリング41を引上げ、その筒部下端を板バネ19上方へ移動させる。該状態から図３のように板バネ19,19 を内方へ押圧すると内歯と係合歯との噛合せが外れ、よってキャップ31をロックリングと共に螺脱させることが出来る。
【００１４】
キャップ螺合の際は、内歯35と係合歯21とは滑動して噛合わないからそのまま螺合させることが出来る。ロックリングはキャップ螺合の前後いずれかで下限まで下降させればよい。
【００１５】
【発明の効果】
本発明は既述構成とするものであり、内歯35と係合歯21とはキャップ螺合時には滑動するから、キャップの螺合が可能であると共に螺脱方向に対しては噛合うからそれ等両歯の噛合せ、つまりロックを外さない限りキャップの螺脱は不能となる。そしてそのロックの取外しはロックリング41を上限まで引上げた後、板バネ19,19 を内方へ押込むことで行うことが出来るから、予め一方の手でロックリング41を引上げた後、容器体を持つ他方の手で板バネ19,19 を内方へ押して上記係合歯21を内歯35から外し、次いで上記一方の手でキャップ31を螺脱することが出来、このようにロックの取外しとキャップの螺脱とを別々の手でそれぞれ行うことが出来るから、キャップの螺脱を容易に行うことが出来る。
【００１６】
請求項２の場合のように、ロックリングを上限まで引上げ、該上限位置に係止させる係合手段を設けることで、該ロックリングが自重により下降して、板バネを内方へ押込む操作を邪魔することを防止できる。
【図面の簡単な説明】
【図１】  本発明容器の半断面図である。
【図２】  図１の状態から、ロックリングを引上げた状態を示す、半断面図である。
【図３】  図２のロックリング引上げ状態で、板バネを内方へ押込みした状態を示す半断面図である。
【図４】  容器主要部材の平面図である。
【符号の説明】
４…大径部                11…筒状ロック部材
16…外筒                  19…板バネ
21…係合歯                31…キャップ
35…内歯                  41…ロックリング
【図１】
0003670173.tif 000002
【図２】
0003670173.tif 000003
【図３】
0003670173.tif 000004
【図４】
0003670173.tif 000005